(57)【要約】【課題】  色彩、模様などを表示する表示装置を車室内に設け、外部環境に対応して、または、ドライバーの気分に応じて、その表示装置の画面に映し出される色彩或いは模様などを変えることによって、ドライバー及び同乗者にとって快適な車内の雰囲気を創り出すことができる自動車の室内表示システムを提供する。【解決手段】  自動車の室内表示システムにおいて、天候、気温、走行場所などの外部環境を検知する検知装置と、室内に設置され画面に色彩或いは模様を表示する表示装置１１とを備え、前記検知装置で検知された外部環境に応じて、予め設定されたコントローラのプログラムに従って前記表示装置１１の画面に表示する色彩或いは模様を変更することができるようにした。【選択図】 図２
2006264373.tif 000002
【特許請求の範囲】
【請求項１】
（ａ）天候、気温、走行場所などの外部環境を検知する検知装置と、
（ｂ）室内に設置され画面に色彩或いは模様を表示する表示装置とを備え、
（ｃ）前記検知装置で検知された外部環境に応じて、予め設定されたコントローラのプログラムに従って前記表示装置の画面に表示する色彩或いは模様を変更することができるようにしたことを特徴とする自動車の室内表示システム。
【請求項２】
請求項１記載の自動車の室内表示システムにおいて、前記表示装置の画面の色彩或いは模様をドライバーまたは同乗者の選択により変更できるようにしたことを特徴とする自動車の室内表示システム。
【請求項３】
請求項１又は２記載の自動車の室内表示システムにおいて、前記表示装置の表示画面を帯状に構成し、該帯状の表示画面をドライバー及び同乗者を囲むように車室内の前面及び側面に配置することを特徴とする自動車の室内表示システム。
【請求項４】
請求項１又は２記載の自動車の室内表示システムにおいて、前記外部環境を検知する検知装置は、温度センサー、湿度センサー、水滴検知センサー及びインターネット等からの情報受信装置を含むことを特徴とする自動車の室内表示システム。
【請求項５】
請求項１又は２記載の自動車の室内表示システムにおいて、前記コントローラはドライバーまたは同乗者が選択する頻度の高い色彩または模様を優先的に選択する学習機能を有することを特徴とする自動車の室内表示システム。
【請求項６】
請求項１又は２記載の自動車の室内表示システムにおいて、前記画面に表示する色彩は、赤色、青色、緑色、水色などの単一色であることを特徴とする自動車の室内表示システム。
【請求項７】
請求項１又は２記載の自動車の室内表示システムにおいて、前記画面に表示する模様は、波模様、渦模様、水玉模様などの簡潔な模様とすることを特徴とする自動車の室内表示システム。
【請求項８】
請求項１又は２記載の自動車の室内表示システムにおいて、スピーカーを設け、前記画面に表示される色彩または模様に連動して、音楽、波の音などのバックサウンドを出す音声発生装置を設けたことを特徴とする自動車の室内表示システム。
【発明の詳細な説明】
【技術分野】
【０００１】
本発明は、自動車の室内表示システムに係り、特に外部の環境に対応して或いはドライバーの気分に応じて車室内の雰囲気を変更する或いは創り出す室内表示システムに関するものである。
【背景技術】
【０００２】
従来、演劇場などでは、演出効果を上げるため、照明等を用いてその場の雰囲気を演出することが日常的に行われている。
【０００３】
しかし、自動車は専ら走るためのものとして造られており、車室内を豪華にするためのインテリアには様々な工夫が凝らされているが、それらは全て固定的なものであり、外部の環境変化に対応して車室内の雰囲気を変える、例えば、雨の日には車室内を清々しく感じさせる、暑い日には涼しく感じさせる、また、混んだ道路を走る場合には車室内に落ちついた雰囲気を創り出すというような工夫はなされていなかった。また、ドライバーの気分に応じて車室内の雰囲気を変え、より快適な気分で運転できるようにするという工夫もなされていなかった。
【特許文献１】なし
【発明の開示】
【発明が解決しようとする課題】
【０００４】
本発明は、上記状況に鑑みて、色彩、模様などを表示する表示装置を車室内に設け、外部環境に対応して、または、ドライバーの気分に応じて、その表示装置の画面に映し出される色彩或いは模様などを変えることによって、ドライバー及び同乗者にとって快適な車内の雰囲気を創り出すことができる自動車の室内表示システムを提供することを目的とする。
【課題を解決するための手段】
【０００５】
本発明は、上記目的を達成するために、
〔１〕自動車の室内表示システムにおいて、天候、気温、走行場所などの外部環境を検知する検知装置と、室内に設置され画面に色彩或いは模様を表示する表示装置とを備え、前記検知装置で検知された外部環境に応じて、予め設定されたコントローラのプログラムに従って前記表示装置の画面に表示する色彩或いは模様を変更することができるようにしたことを特徴とする。
【０００６】
〔２〕上記〔１〕記載の自動車の室内表示システムにおいて、前記表示装置の画面の色彩或いは模様をドライバーまたは同乗者の選択により変更できるようにしたことを特徴とする。
【０００７】
〔３〕上記〔１〕又は〔２〕記載の自動車の室内表示システムにおいて、前記表示装置の表示画面を帯状に構成し、この帯状の表示画面をドライバー及び同乗者を囲むように車室内の前面及び側面に配置することを特徴とする。
【０００８】
〔４〕上記〔１〕又は〔２〕記載の自動車の室内表示システムにおいて、前記外部環境を検知する検知装置は、温度センサー、湿度センサー、水滴検知センサー及びインターネット等からの情報受信装置を含むことを特徴とする。
【０００９】
〔５〕上記〔１〕又は〔２〕記載の自動車の室内表示システムにおいて、前記コントローラはドライバーまたは同乗者が選択する頻度の高い色彩または模様を優先的に選択する学習機能を有することを特徴とする。
【００１０】
〔６〕上記〔１〕又は〔２〕記載の自動車の室内表示システムにおいて、前記画面に表示する色彩は、赤色、青色、緑色、水色などの単一色であることを特徴とする。
【００１１】
〔７〕上記〔１〕又は〔２〕記載の自動車の室内表示システムにおいて、前記画面に表示する模様は、波模様、渦模様、水玉模様などの簡潔な模様とすることを特徴とする。
【００１２】
〔８〕上記〔１〕又は〔２〕記載の自動車の室内表示システムにおいて、スピーカーを設け、前記画面に表示される色彩または模様に連動して、音楽や、波の音などのバックサウンドを出す音声発生装置を設けたことを特徴とする。
【発明の効果】
【００１３】
本発明によれば、ドライバー及び同乗者にとって快適な車内の雰囲気を創り出すことができる。
【発明を実施するための最良の形態】
【００１４】
自動車の室内表示システムにおいて、天候、気温、走行場所などの外部環境を検知する検知装置と、室内に設置され画面に色彩或いは模様を表示する表示装置とを備え、前記検知装置で検知された外部環境に応じて、予め設定されたコントローラのプログラムに従って前記表示装置の画面に表示する色彩或いは模様を変更することができる。よって、ドライバー及び同乗者にとって快適な車内の雰囲気を創り出すことができる。
【実施例】
【００１５】
以下、本発明の実施の形態について詳細に説明する。
【００１６】
図１は本発明の実施例を示す自動車の室内表示システムのブロック図である。
【００１７】
この図において、１は水滴センサーであり、この水滴センサー１は雨が降っているかを検知する。２は騒音センサーであり、この騒音センサー２は車速センサーで検知される車速と組み合わせて、車の走行速度と車外の騒音レベルから走行場所が繁華街であるか、市街地であるか、高速道路であるかなどを判断する。３は温度センサーであり、この温度センサー３は暑い日であるか、寒い日であるかを検知する。４は湿度センサーであり、この湿度センサー４は湿度が高く蒸し蒸しした日であるか、湿度が低く清々しい日であるかを検知する。５は照度センサーであり、この照度センサー５は時刻と合わせて、昼間であるか、夕方であるか、夜間であるか、また晴れているか、曇っているかを判断する。６は自動車の速度をはかる車速センサー、７は情報収集装置であり、この情報収集装置７は、インターネット機器、交通情報受信機、或いはナビゲータ等であり、気候情報、渋滞情報などを収集する。
【００１８】
８は手動選択スイッチであり、この手動選択スイッチ８はドライバーまたは同乗者が、自分の所望の色彩（例えばピンク）、または模様（例えば波模様）を選択するためのスイッチである。９はコントローラであり、このコントローラ９は、外部環境に応じて、例えば、温度、湿度が共に高いときには、気分が爽快になる波模様を選択し、或いは市街地の渋滞に巻き込まれた時には、気分を転換するために水色の色彩を選択する等の判断を行い、自動車の室内表示装置１１にその色彩または模様を表示すると共に、音声発生装置１２にそれに合ったバックグラウンドミュージックや波の音などのバックサウンドを流すための指令を行う。さらに、このコントローラ９は、手動選択スイッチ８によって手動選択されるドライバーまたは同乗者の好み（すなわち、選択頻度）を学習し、そのドライバー又は同乗者が好む（すなわち、頻繁に選択する）色彩または模様を優先的に選択する機能を備える。
【００１９】
１０はメモリー装置であり、このメモリー装置１０は、自動車の室内表示装置１１の画面に表示する各種の色彩、各種模様及びそれに対応するバックグラウンドミュージックや波の音などのバックサウンドを記憶する装置である。
【００２０】
１２は音声発生装置であり、この音声発生装置１２は、スピーカーを設け、自動車の室内表示装置１１に表示の色彩又は模様に合わせて選択されたバックグラウンドミュージックや、波の音などのバックサウンドを流す。
【００２１】
図２は本発明の実施例を示す室内表示装置を施した自動車の上面模式図、図３はその正面模式図、図４はその側面模式図である。
【００２２】
これらの図において、２０は自動車、２１は８輪の車輪、２２はフロントガラス、２３はハンドル、  ２４は前ドア、２５は後ドア、２６は前部座席、２７は後部座席、２８は後部トランク、２９はドライバー、３０は同乗者、３１は幅が１０〜２０ｃｍの帯状の液晶画面であり、ダッシュボード装着用部分３２、左右の前ドア装着用部分３３及び後ドア装着用部分３４、およびピラー（柱状）装着用部分３５，３６，３７（フロントガラス２２と前ドア２４との間のフロントピラー装着用部分３５，前ドア２４と後ドア２５との間のセンターピラー装着用部分３６，後ドア２５の後部のリアピラー装着用部分３７）などの複数の部分に分割されており、それら全てを装着した状態で、全体としてドライバー及び同乗者を囲む略環状を形成する。
【００２３】
次に、外部環境又はドライバーの気分と自動車の室内表示装置１１に表示する色彩・模様との関係について説明する。
【００２４】
この関係は、あくまで一例であり、ドライバー又は同乗者の好みに合わせて、適宜設定することができる。
【００２５】
雨の日には、清々しいムードを創り出す。例えば、渦模様、青又は緑の色彩を表示する。
【００２６】
暑い日には、涼しいムードを創り出す。例えば、波模様、水玉模様及び寒色系の色彩を表示する。
【００２７】
寒い日には、暖かいムードを創り出す。例えば、橙色などの暖色系の色彩を表示する。
【００２８】
気分が沈んでいる時には、気分を盛り上がらせる雰囲気を創り出す。例えば、赤色の色彩を表示する。
【００２９】
ゆったりした気分になりたい時には、例えば、クリーム色又は薄緑の色彩を表示する。
【００３０】
なお、本発明は上記実施例に限定されるものではなく、本発明の趣旨に基づき種々の変形が可能であり、これらを本発明の範囲から排除するものではない。
【産業上の利用可能性】
【００３１】
本発明の自動車の室内表示システムは、外部環境に応じて、予め設定されたコントローラのプログラムに従って表示装置の画面に表示する色彩或いは模様を変更することができ、ドライバー及び同乗者に快適な車内の雰囲気を創り出すことができる自動車の室内表示装置として利用可能である。
【図面の簡単な説明】
【００３２】
【図１】本発明の実施例を示す自動車の室内表示システムのブロック図である。
【図２】本発明の実施例を示す室内表示装置を施した自動車の上面模式図である。
【図３】本発明の実施例を示す室内表示装置を施した自動車の正面模式図である。
【図４】本発明の実施例を示す室内表示装置を施した自動車の側面模式図である。
【符号の説明】
【００３３】
１    水滴センサー
２    騒音センサー
３    温度センサー
４    湿度センサー
５    照度センサー
６    車速センサー
７    情報収集装置
８    手動選択スイッチ
９    コントローラ
１０    メモリー装置
１１    自動車の室内表示装置
１２    音声発生装置
２０    自動車
２１    ８輪の車輪
２２    フロントガラス
２３    ハンドル
２４    前ドア
２５    後ドア
２６    前部座席
２７    後部座席
２８    後部トランク
２９    ドライバー
３０    同乗者
３１    帯状の液晶画面
３２    ダッシュボード装着用部分
３３    左右の前ドア装着用部分
３４    後ドア装着用部分
３５，３６，３７    ピラー装着用部分
【図１】
2006264373.tif 000003
【図２】
2006264373.tif 000004
【図３】
2006264373.tif 000005
【図４】
2006264373.tif 000006